(57)【要約】【課題】所定の機能が実行されている際に、当該所定の機能の実行に関する情報をユーザが確認できなくなることを抑制することが可能な技術を提供する。【解決手段】制御部１００は、所定の機能が実行されている場合に、当該所定の機能の実行に関する情報を含む第１表示画面を表示パネル１２０に表示させる。制御部１００は、所定の機能が実行されている場合にウィジェットの実行を開始し、その後、当該所定の機能の実行が終了すると当該ウィジェットの実行を終了する。制御部１００は、ウィジェットが実行されている場合において、第１表示画面とは別の表示画面を表示パネル１２０に表示させる際には、当該ウィジェットの実行に基づいて、当該第１表示画面中の少なくとも一部の情報を含むウィジェット実行情報を当該別の表示画面の一部の領域に含ませる。【選択図】図３
2014035738.tif 000002
【特許請求の範囲】
【請求項１】
電子機器であって、
プログラムを実行する実行部と、
情報を表示する表示部と、
前記表示部を制御する表示制御部と
を備え、
前記表示制御部は、前記電子機器が所定の機能を実行している場合に、当該所定の機能の実行に関する情報を含む第１表示画面を前記表示部に表示させ、
前記実行部は、前記所定の機能が実行されている場合に、前記第１表示画面に含まれる情報を前記表示部に表示させるためのウィジェットの実行を開始し、その後、当該所定の機能の実行が終了すると当該ウィジェットの実行を終了し、
前記表示制御部は、前記ウィジェットが実行されている場合において、前記第１表示画面とは別の表示画面を前記表示部に表示させる際には、当該ウィジェットの実行に基づいて、当該第１表示画面中の少なくとも一部の情報を含むウィジェット実行情報を、当該別の表示画面の一部の領域に含ませる、電子機器。
【請求項２】
請求項１に記載の電子機器であって、
前記電子機器に対する操作を検出する検出部をさらに備え、
前記表示制御部は、前記表示部が前記ウィジェット実行情報を含む表示画面を表示する際に、当該ウィジェット実行情報を選択する操作を前記検出部が検出すると、前記第１表示画面を前記表示部に表示させる、電子機器。
【請求項３】
請求項１に記載の電子機器であって、
前記表示制御部は、前記ウィジェット実行情報を含む表示画面を前記表示部に表示させる際には、当該ウィジェット実行情報が当該表示画面に含まれる他の情報と重ならないように当該ウィジェット実行情報を当該表示画面に含める、電子機器。
【請求項４】
請求項３に記載の電子機器であって、
前記電子機器に対する操作を検出する検出部をさらに備え、
前記表示制御部は、複数の画面で構成された第２表示画面を表示することを指示する第１操作を前記検出部が検出すると、当該複数の画面のうちの一つの画面を前記表示部に表示させ、その後、前記検出部で検出される、前記第２表示画面についての画面切り替え操作に応じて当該複数の画面のうちの一つの画面を順に切り替えて前記表示部に表示させ、
前記表示制御部は、
前記所定の機能が実行されている場合において、
前記検出部が前記第１操作を検出すると、前記第２表示画面を構成する複数の画面において、前記ウィジェット実行情報を配置することが可能な空きスペースを有する画面が存在するかを判定し、
当該空きスペースを有する画面が存在する場合には、当該画面の一部の領域に当該ウィジェット実行情報を含める、電子機器。
【請求項５】
請求項４に記載の電子機器であって、
前記表示制御部は、前記第２表示画面を構成する複数の画面において、前記ウィジェット実行情報を配置することが可能な空きスペースを有する画面が存在しない場合には、当該第２表示画面に新たな画面を追加し、当該新たな画面の一部の領域に当該ウィジェット実行情報を含める、電子機器。
【請求項６】
請求項３に記載の電子機器であって、
前記電子機器に対する操作を検出する検出部をさらに備え、
前記表示制御部は、複数の画面で構成された第２表示画面を表示することを指示する第１操作を前記検出部が検出すると、当該複数の画面のうちの一つの画面を前記表示部に表示させ、その後、前記検出部で検出される、前記第２表示画面についての画面切り替え操作に応じて当該複数の画面のうちの一つの画面を順に切り替えて前記表示部に表示させ、
前記表示制御部は、
前記所定の機能が実行されている場合において、
前記検出部が前記第１操作を検出すると、当該第２表示画面に新たな画面を追加し、
当該新たな画面の一部の領域に前記ウィジェット実行情報を含める、電子機器。
【請求項７】
請求項５及び請求項６のいずれか一つに記載の電子機器であって、
前記表示制御部は、前記第２表示画面に新たな画面を追加した場合において、前記所定の機能の実行が終了すると、当該新たな画面を当該第２表示画面から削除する、電子機器。
【請求項８】
請求項４乃至請求項７のいずれか一つに記載の電子機器であって、
前記表示制御部は、前記所定の機能が実行されている場合において、前記検出部が前記第１操作を検出すると、前記第２表示画面を構成する複数の画面のうち、前記ウィジェット実行情報を含む画面を前記表示部に表示させる、電子機器。
【請求項９】
請求項３に記載の電子機器であって、
前記表示制御部は、
前記ウィジェット実行情報を含む表示画面を前記表示部に表示させる場合には、
当該表示画面において、第１表示寸法の当該ウィジェット実行情報を配置することが可能な空きスペースが存在する際には、当該第１表示寸法の当該ウィジェット実行情報を含む当該表示画面を前記表示部に表示させ、
当該表示画面において、当該空きスペースが存在しない際には、当該第１表示寸法よりも小さい第２表示寸法の当該ウィジェット実行情報を含む当該表示画面を前記表示部に表示させる、電子機器。
【請求項１０】
請求項４乃至請求項８のいずれか一つに記載の電子機器であって、
前記表示制御部は、前記第２表示画面を構成する複数の画面のうち、前記ウィジェット実行情報を含まない画面を前記表示部に表示させる際には、当該画面に対して、当該複数画面において当該ウィジェット実行情報を含む画面を特定するための情報を含ませる、電子機器。
【請求項１１】
請求項１乃至請求項１０のいずれか一つに記載の電子機器であって、
前記所定の機能は、プッシュトゥトークを用いた通話、テレビ番組の録画、音楽データを再生制御、前記電子機器が無線ＬＡＮのアクセスポイントとして機能すること及び前記電子機器が無線ＬＡＮのアクセスポイントを通じて通信を行うことのいずれか一つである、電子機器。
【請求項１２】
請求項１１に記載の電子機器であって、
前記所定の機能は、プッシュトゥトークを用いた通話であって、
前記ウィジェット実行情報には、前記通話における前記電子機器の通話相手を特定するための情報、当該通話相手に対応付けられた画像、前記通話での発言権に関する現在の状態、前記通話での発言権の現在の取得者を特定するための情報及び前記通話での通話時間の少なくとも一つが含まれる、電子機器。
【請求項１３】
電子機器を制御するための制御プログラムであって、
前記電子機器に、
（ａ）所定の機能を実行している場合に、当該所定の機能の実行に関する情報を含む第１表示画面を表示する工程と、
（ｂ）前記所定の機能を実行している場合に、前記第１表示画面に含まれる情報を表示するためのウィジェットの実行を開始し、その後、当該所定の機能の実行が終了すると当該ウィジェットの実行を終了する工程と、
（ｃ）前記ウィジェットを実行している場合において、前記第１表示画面とは別の表示画面を表示する際には、当該ウィジェットの実行に基づいて、当該第１表示画面中の少なくとも一部の情報を含むウィジェット実行情報を、当該別の表示画面の一部の領域に含ませる工程と
を実行させるための制御プログラム。
【請求項１４】
電子機器での処理実行方法であって、
（ａ）所定の機能を実行している場合に、当該所定の機能の実行に関する情報を含む第１表示画面を表示する工程と、
（ｂ）前記所定の機能を実行している場合に、前記第１表示画面に含まれる情報を表示するためのウィジェットの実行を開始し、その後、当該所定の機能の実行が終了すると当該ウィジェットの実行を終了する工程と、
（ｃ）前記ウィジェットを実行している場合において、前記第１表示画面とは別の表示画面を表示する際には、当該ウィジェットの実行に基づいて、当該第１表示画面中の少なくとも一部の情報を含むウィジェット実行情報を、当該別の表示画面の一部の領域に含ませる工程と
を備える、電子機器での処理実行方法。
【発明の詳細な説明】
【技術分野】
【０００１】
本発明は、電子機器に関する。
【背景技術】
【０００２】
従来から電子機器に関して様々な技術が提案されている。例えば特許文献１〜３には、プッシュトゥトーク（Ｐｕｓｈ  Ｔｏ  Ｔａｌｋ（ＰＴＴ））を用いた通話を行うことが可能な電子機器に関する技術が開示されている。
【先行技術文献】
【特許文献】
【０００３】
【特許文献１】特開２００６−４２３５５号公報
【特許文献２】特開２００６−１３５５００号公報
【特許文献３】特開２００６−１８０１４３号公報
【発明の概要】
【発明が解決しようとする課題】
【０００４】
さて、電子機器が所定の機能を実行している際には、当該電子機器の状態によって、ユーザは、当該所定の機能が実行されている時間など、当該所定の機能の実行に関する情報を確認できないことがある。
【０００５】
そこで、本発明は上述の点に鑑みて成されたものであり、電子機器が所定の機能を実行している際に、当該所定の機能の実行に関する情報をユーザが確認できなくなることを抑制することが可能な技術を提供することを目的とする。
【課題を解決するための手段】
【０００６】
上記課題を解決するため、本発明に係る電子機器の一態様は、プログラムを実行する実行部と、情報を表示する表示部と、前記表示部を制御する表示制御部とを備え、前記表示制御部は、前記電子機器が所定の機能を実行している場合に、当該所定の機能の実行に関する情報を含む第１表示画面を前記表示部に表示させ、前記実行部は、前記所定の機能が実行されている場合に、前記第１表示画面に含まれる情報を前記表示部に表示させるためのウィジェットの実行を開始し、その後、当該所定の機能の実行が終了すると当該ウィジェットの実行を終了し、前記表示制御部は、前記ウィジェットが実行されている場合において、前記第１表示画面とは別の表示画面を前記表示部に表示させる際には、当該ウィジェットの実行に基づいて、当該第１表示画面中の少なくとも一部の情報を含むウィジェット実行情報を、当該別の表示画面の一部の領域に含ませる。
【０００７】
また、本発明に係る電子機器の一態様では、前記電子機器に対する操作を検出する検出部がさらに設けられ、前記表示制御部は、前記表示部が前記ウィジェット実行情報を含む表示画面を表示する際に、当該ウィジェット実行情報を選択する操作を前記検出部が検出すると、前記第１表示画面を前記表示部に表示させる。
【０００８】
また、本発明に係る電子機器の一態様では、前記表示制御部は、前記ウィジェット実行情報を含む表示画面を前記表示部に表示させる際には、当該ウィジェット実行情報が当該表示画面に含まれる他の情報と重ならないように当該ウィジェット実行情報を当該表示画面に含める。
【０００９】
また、本発明に係る電子機器の一態様では、前記電子機器に対する操作を検出する検出部がさらに設けられ、前記表示制御部は、複数の画面で構成された第２表示画面を表示することを指示する第１操作を前記検出部が検出すると、当該複数の画面のうちの一つの画面を前記表示部に表示させ、その後、前記検出部で検出される、前記第２表示画面についての画面切り替え操作に応じて当該複数の画面のうちの一つの画面を順に切り替えて前記表示部に表示させ、前記表示制御部は、前記所定の機能が実行されている場合において、前記検出部が前記第１操作を検出すると、前記第２表示画面を構成する複数の画面において、前記ウィジェット実行情報を配置することが可能な空きスペースを有する画面が存在するかを判定し、当該空きスペースを有する画面が存在する場合には、当該画面の一部の領域に当該ウィジェット実行情報を含める。
【００１０】
また、本発明に係る電子機器の一態様では、前記表示制御部は、前記第２表示画面を構成する複数の画面において、前記ウィジェット実行情報を配置することが可能な空きスペースを有する画面が存在しない場合には、当該第２表示画面に新たな画面を追加し、当該新たな画面の一部の領域に当該ウィジェット実行情報を含める。
【００１１】
また、本発明に係る電子機器の一態様では、前記電子機器に対する操作を検出する検出部がさらに設けられ、前記表示制御部は、複数の画面で構成された第２表示画面を表示することを指示する第１操作を前記検出部が検出すると、当該複数の画面のうちの一つの画面を前記表示部に表示させ、その後、前記検出部で検出される、前記第２表示画面についての画面切り替え操作に応じて当該複数の画面のうちの一つの画面を順に切り替えて前記表示部に表示させ、前記表示制御部は、前記所定の機能が実行されている場合において、前記検出部が前記第１操作を検出すると、当該第２表示画面に新たな画面を追加し、当該新たな画面の一部の領域に前記ウィジェット実行情報を含める。
【００１２】
また、本発明に係る電子機器の一態様では、前記表示制御部は、前記第２表示画面に新たな画面を追加した場合において、前記所定の機能の実行が終了すると、当該新たな画面を当該第２表示画面から削除する。
【００１３】
また、本発明に係る電子機器の一態様では、前記表示制御部は、前記所定の機能が実行されている場合において、前記検出部が前記第１操作を検出すると、前記第２表示画面を構成する複数の画面のうち、前記ウィジェット実行情報を含む画面を前記表示部に表示させる。
【００１４】
また、本発明に係る電子機器の一態様では、前記表示制御部は、前記ウィジェット実行情報を含む表示画面を前記表示部に表示させる場合には、当該表示画面において、第１表示寸法の当該ウィジェット実行情報を配置することが可能な空きスペースが存在する際には、当該第１表示寸法の当該ウィジェット実行情報を含む当該表示画面を前記表示部に表示させ、当該表示画面において、当該空きスペースが存在しない際には、当該第１表示寸法よりも小さい第２表示寸法の当該ウィジェット実行情報を含む当該表示画面を前記表示部に表示させる。
【００１５】
また、本発明に係る電子機器の一態様では、前記表示制御部は、前記第２表示画面を構成する複数の画面のうち、前記ウィジェット実行情報を含まない画面を前記表示部に表示させる際には、当該画面に対して、当該複数画面において当該ウィジェット実行情報を含む画面を特定するための情報を含ませる。
【００１６】
また、本発明に係る電子機器の一態様では、前記所定の機能は、プッシュトゥトークを用いた通話、テレビ番組の録画、音楽データを再生制御、前記電子機器が無線ＬＡＮのアクセスポイントとして機能すること及び前記電子機器が無線ＬＡＮのアクセスポイントを通じて通信を行うことのいずれか一つである。
【００１７】
また、本発明に係る電子機器の一態様では、前記所定の機能は、プッシュトゥトークを用いた通話であって、前記ウィジェット実行情報には、前記通話における前記電子機器の通話相手を特定するための情報、当該通話相手に対応付けられた画像、前記通話での発言権に関する現在の状態、前記通話での発言権の現在の取得者を特定するための情報及び前記通話での通話時間の少なくとも一つが含まれる。
【００１８】
また、本発明に係る制御プログラムの一態様は、電子機器を制御するための制御プログラムであって、前記電子機器に、（ａ）所定の機能を実行している場合に、当該所定の機能の実行に関する情報を含む第１表示画面を表示する工程と、（ｂ）前記所定の機能を実行している場合に、前記第１表示画面に含まれる情報を表示するためのウィジェットの実行を開始し、その後、当該所定の機能の実行が終了すると当該ウィジェットの実行を終了する工程と、（ｃ）前記ウィジェットを実行している場合において、前記第１表示画面とは別の表示画面を表示する際には、当該ウィジェットの実行に基づいて、当該第１表示画面中の少なくとも一部の情報を含むウィジェット実行情報を、当該別の表示画面の一部の領域に含ませる工程とを実行させるためのものである。
【００１９】
また、本発明に係る電子機器での処理実行方法の一態様は、（ａ）所定の機能を実行している場合に、当該所定の機能の実行に関する情報を含む第１表示画面を表示する工程と、（ｂ）前記所定の機能を実行している場合に、前記第１表示画面に含まれる情報を表示するためのウィジェットの実行を開始し、その後、当該所定の機能の実行が終了すると当該ウィジェットの実行を終了する工程と、（ｃ）前記ウィジェットを実行している場合において、前記第１表示画面とは別の表示画面を表示する際には、当該ウィジェットの実行に基づいて、当該第１表示画面中の少なくとも一部の情報を含むウィジェット実行情報を、当該別の表示画面の一部の領域に含ませる工程とを備える。
【発明の効果】
【００２０】
本発明によれば、電子機器が所定の機能を実行している際に、当該所定の機能の実行に関する情報をユーザが確認できなくなることを抑制することができる。
【図面の簡単な説明】
【００２１】
【図１】電子機器の外観を示す前面図である。
【図２】電子機器の外観を示す裏面図である。
【図３】電子機器の電気的構成を主に示すブロック図である。
【図４】電子機器の制御部の一部の構成を示すブロック図である。
【図５】電子機器が表示する表示画面の一例を示す図である。
【図６】電子機器が表示する表示画面の一例を示す図である。
【図７】電子機器が表示する表示画面の一例を示す図である。
【図８】電子機器が表示する表示画面の一例を示す図である。
【図９】電子機器が表示する表示画面の一例を示す図である。
【図１０】電子機器が表示する表示画面の一例を示す図である。
【図１１】電子機器の表示領域に対してユーザが操作する様子を示す図である。
【図１２】電子機器が表示する表示画面の一例を示す図である。
【図１３】電子機器の表示領域に対してユーザが操作する様子を示す図である。
【図１４】電子機器が表示する表示画面の一例を示す図である。
【図１５】電子機器が表示する表示画面の一例を示す図である。
【図１６】電子機器が表示する表示画面の一例を示す図である。
【図１７】電子機器の動作を示すフローチャートである。
【図１８】電子機器の動作を示すフローチャートである。
【図１９】電子機器が表示する表示画面の一例を示す図である。
【図２０】電子機器が表示する表示画面の一例を示す図である。
【図２１】電子機器が表示する表示画面の一例を示す図である。
【図２２】電子機器が表示する表示画面の一例を示す図である。
【図２３】電子機器が表示する表示画面の一例を示す図である。
【図２４】電子機器が表示する表示画面の一例を示す図である。
【発明を実施するための形態】
【００２２】
＜実施の形態１＞
＜電子機器の外観＞
図１，２は、それぞれ、実施の形態１に係る電子機器１の外観を示す前面図及び裏面図である。本実施の形態に係る電子機器１は、例えば携帯電話機であって、基地局及びサーバ等を通じて他の通信装置と通信することが可能である。図１及び２に示されるように、電子機器１は、カバーパネル２とケース部分３を備えており、カバーパネル２とケース部分３とが組み合わされることによって、平面視で略長方形の板状を成す機器ケース４が構成されている。
【００２３】
カバーパネル２は、平面視において略長方形を成しており、電子機器１の前面部分における、周縁部分以外の部分を構成している。カバーパネル２は、例えば、透明のガラスあるいは透明のアクリル樹脂で形成されている。ケース部分３は、電子機器１の前面部分の周縁部分、側面部分及び裏面部分を構成している。ケース部分３は、例えばポリカーボネート樹脂で形成されている。
【００２４】
カバーパネル２の前面には、文字、記号、図形等の各種情報が表示される表示領域２ａが設けられている。表示領域２ａは例えば平面視で長方形を成している。カバーパネル２における、表示領域２ａを取り囲む周縁部分２ｂは、例えばフィルム等が貼られることによって黒色となっており、情報が表示されない非表示部分となっている。カバーパネル２の裏面には後述するタッチパネル１３０が貼り付けられており、ユーザは、電子機器１の前面の表示領域２ａを指等で操作することによって、電子機器１に対して各種指示を与えることができる。なお、ユーザは、指以外の接触部、例えば、スタイラスペンなどの静電式タッチパネル用ペンで表示領域２ａを操作することによっても、電子機器１に対して各種指示を与えることができる。
【００２５】
機器ケース４内には、ホームキー５ａ、メニューキー５ｂ及びバックキー５ｃが設けられている。ホームキー５ａ、メニューキー５ｂ及びバックキー５ｃのそれぞれは、ハードウェアキーであって、その表面が、カバーパネル２の前面の下側端部から露出している。ホームキー５ａは、表示領域２ａに、後述するホーム画面を表示するための操作キーである。メニューキー５ｂは、オプションメニュー画面を表示するための操作キーである。バックキー５ｃは、表示領域２ａの表示を一つ前の表示に戻すための操作キーである。以後、ホームキー５ａ、メニューキー５ｂ及びバックキー５ｃを特に区別する必要が無い場合には、それぞれを「操作キー５」と呼ぶ。なお、ホームキー５ａ、メニューキー５ｂ及びバックキー５ｃのそれぞれは、ハードウェアキーではなく、表示領域２ａに表示されて、タッチパネル１３０でそれに対する操作が検出されるソフトウェアキーであってもよい。
【００２６】
また、機器ケース４内には、プッシュトゥトーク用ボタン９（以後、「ＰＴＴボタン９」と呼ぶ）が設けられている。本実施の形態に係る電子機器１は、プッシュトゥトークを用いた通話を行うことが可能となっている。ユーザは、ＰＴＴボタン９を押しながら話すことによって、自身の音声を通話相手に伝えることができる。
【００２７】
カバーパネル２の下側端部にはマイク穴６があけられており、カバーパネル２の上側端部にはレシーバ穴７があけられている。カバーパネル２の前面の上側端部からは、後述する前面側撮像部１９０が有する撮像レンズ１９１が視認可能となっている。また、図２に示されるように、電子機器１の裏面、言い換えれば機器ケース４の裏面には、スピーカ穴８があけられている。そして、電子機器１の裏面からは、後述する裏面側撮像部２００が有する撮像レンズ２０１が視認可能となっている。
【００２８】
＜電子機器の電気的構成＞
図３は電子機器１の電気的構成を示すブロック図である。図３に示されるように、電子機器１には、制御部１００、無線通信部１１０、表示パネル１２０及び検出部１５０が設けられている。さらに電子機器１には、マイク１６０、レシーバ１７０、外部スピーカ１８０、前面側撮像部１９０、裏面側撮像部２００及び電池２１０が設けられている。電子機器１に設けられたこれらの構成要素は、機器ケース４内に収められている。
【００２９】
制御部１００は、ＣＰＵ（Central Processing Unit）１０１、ＤＳＰ（Digital Signal Processor）１０２及び記憶部１０３等を備えており、電子機器１の他の構成要素を制御することによって、電子機器１の動作を統括的に管理する。記憶部１０３は、ＲＯＭ（Read Only Memory）及びＲＡＭ（Random Access Memory）等で構成されている。記憶部１０３には、図４に示されるように、電子機器１の動作、具体的には電子機器１が備える無線通信部１１０、表示パネル１２０等の各構成要素を制御するための制御プログラムであるメインプログラム１０３ａ及び複数のアプリケーションプログラム１０３ｂ等が記憶されている。制御部１００の各種機能は、ＣＰＵ１０１及びＤＳＰ１０２が記憶部１０３内の各種プログラムを実行することによって実現される。制御部１００では、メインプログラム１０３ａが実行されることによって、図４に示されるように、アプリケーションプログラム１０３ｂを実行する実行部１００ａ及び表示パネル１２０を制御する表示制御部１００ｂなどの複数の機能ブロックが形成される。
【００３０】
無線通信部１１０は、アンテナ１１１を有している。無線通信部１１０は、電子機器１とは別の携帯電話機あるいはインターネットに接続されたウェブサーバ等の通信装置からの信号を基地局等を介してアンテナ１１１で受信する。無線通信部１１０は、受信信号に対して増幅処理及びダウンコンバートを行って制御部１００に出力する。制御部１００は、入力される受信信号に対して復調処理等を行って、当該受信信号に含まれる、音声や音楽などを示す音信号などを取得する。また無線通信部１１０は、制御部１００で生成された、音信号等を含む送信信号に対してアップコンバート及び増幅処理を行って、処理後の送信信号をアンテナ１１１から無線送信する。アンテナ１１１からの送信信号は、基地局等を通じて、電子機器１とは別の携帯電話機あるいはインターネットに接続された通信装置で受信される。
【００３１】
表示パネル１２０は、例えば、液晶表示パネルあるいは有機ＥＬパネルである。表示パネル１２０は、制御部１００の表示制御部１００ｂによって制御されることによって、文字、記号、図形などの各種情報を表示する。表示パネル１２０に表示される情報は、カバーパネル２の前面の表示領域２ａに示されることによって、当該情報は電子機器１のユーザに視認可能となる。
【００３２】
検出部１５０は、電子機器１に対するユーザの操作を検出する。検出部１５０は、カバーパネル２の表示領域２ａに対する指等の接触部による操作を検出するタッチパネル１３０と、各操作キー５及びＰＴＴボタン９に対するユーザの押下操作を検出するキー操作検出部１４０とを有している。
【００３３】
タッチパネル１３０は、例えば、投影型静電容量方式のタッチパネルであって、カバーパネル２の裏面に貼り付けられている。ユーザが指等の接触部によってカバーパネル２の表示領域２ａに対して操作を行うと、それに応じた信号がタッチパネル１３０から制御部１００に入力される。制御部１００は、タッチパネル１３０からの信号に基づいて、表示領域２ａに対して行われた操作の内容を特定して、その内容に応じた処理を行う。
【００３４】
キー操作検出部１４０は、各操作キー５について、当該操作キー５が押下（操作）されているか否かを検出する。キー操作検出部１４０は、操作キー５が押下されていない場合には、当該操作キー５が操作されていないことを示す未操作信号を制御部１００に出力する。また、キー操作検出部１４０は、操作キー５が押下されると、当該操作キー５が操作されたことを示す操作信号を制御部１００に出力する。これにより、制御部１００は、各操作キー５について、当該操作キー５が操作されているか否かを判断することができる。また、キー操作検出部１４０は、ＰＴＴボタン９が押下されていない場合には、当該ＰＴＴボタン９が操作されていないことを示す未操作信号を制御部１００に出力する。また、キー操作検出部１４０は、ＰＴＴボタン９が押下されると、当該ＰＴＴボタン９が操作されたことを示す操作信号を制御部１００に出力する。これにより、制御部１００は、ＰＴＴボタン９が操作されているか否かを判断することができる。
【００３５】
制御部１００の表示制御部１００ｂは、ホームキー５ａが押下されて、その後押下されなくなったことがキー操作検出部１４０で検出されると、表示パネル１２０にホーム画面（初期画面）を表示させる。これにより、表示領域２ａにはホーム画面が示される。また、表示制御部１００ｂは、メニューキー５ｂが押下されて、その後押下されなくなったことがキー操作検出部１４０で検出されると、表示パネル１２０にオプションメニュー画面を表示させる。これにより、表示領域２ａにはオプションメニュー画面が表示される。そして、表示制御部１００ｂは、バックキー５ｃが押下されて、その後押下されなくなったことがキー操作検出部１４０で検出されると、表示パネル１２０に、その表示を一つ前に戻させる。これにより、表示領域２ａの表示が一つ前に戻る。
【００３６】
マイク１６０は、電子機器１の外部から入力される音を電気的な音信号に変換して制御部１００に出力する。電子機器１の外部からの音は、カバーパネル２の前面に設けられたマイク穴６から電子機器１の内部に取り込まれてマイク１６０に入力される。
【００３７】
外部スピーカ１８０は、例えばダイナミックスピーカであって、制御部１００からの電気的な音信号を音に変換して出力する。外部スピーカ１８０から出力される音は、電子機器１の裏面に設けられたスピーカ穴８から外部に出力される。スピーカ穴８から出力される音は、電子機器１から離れた場所でも聞こえるようになっている。
【００３８】
前面側撮像部１９０は、撮像レンズ１９１及び撮像素子などで構成されており、制御部１００による制御に基づいて、静止画像及び動画像を撮像する。図１に示されるように、撮像レンズ１９１は、電子機器１の前面に設けられていることから、電子機器１の前面側（カバーパネル２側）に存在する物体を撮像することが可能である。
【００３９】
裏面側撮像部２００は、撮像レンズ２０１及び撮像素子などで構成されており、制御部１００による制御に基づいて、静止画像及び動画像を撮像する。図２に示されるように、撮像レンズ２０１は、電子機器１の裏面に設けられていることから、電子機器１の裏面１０側に存在する物体を撮像することが可能である。
【００４０】
レシーバ１７０は、受話音を出力するものであって、例えばダイナミックスピーカで構成されている。レシーバ１７０は、制御部１００からの電気的な音信号を音に変換して出力する。レシーバ１７０から出力される音は、電子機器１の前面に設けられたレシーバ穴７から外部に出力される。レシーバ穴７から出力される音の音量は、スピーカ穴８から出力される音の音量よりも小さくなっている。
【００４１】
電池２１０は、電子機器１の電源を出力する。電池２１０から出力された電源は、電子機器１が備える制御部１００及び無線通信部１１０などに含まれる各電子部品に対して供給される。
【００４２】
記憶部１０３には、様々なアプリケーションプログラム１０３ｂ（以後、単に「アプリケーション１０３ｂ」と呼ぶ）が記憶されている。記憶部１０３には、例えば、電話機能を用いて通話を行うための電話アプリケーション、プッシュトゥトークを用いた通話（以後、「ＰＴＴ通話」と呼ぶ）を行うためのＰＴＴアプリケーション、ウェブサイトを表示するためのブラウザ、電子メールの作成・閲覧・送受信を行うためのメールアプリケーションが記憶されている。また、記憶部１０３には、テレビ番組を視聴及び録画するためのテレビアプリケーション、記憶部１０３に記憶されている音楽データの再生制御を行うための音楽再生制御アプリケーション、電子機器１が無線ＬＡＮ（Local Area Network）のアクセスポイントとして機能するためのアクセスポイントアプリケーション、電子機器１が無線ＬＡＮのアクセスポイントを通じて通信するための無線ＬＡＮアプリケーションなどが記憶されている。
【００４３】
記憶部１０３内には、上述の電話アプリケーション及びＰＴＴアプリケーションのように、高機能を実現するためのアプリケーション１０３ｂだけではなく、「ウィジェット」と呼ばれる、低機能を実現するためのアプリケーション１０３ｂも記憶されている。ウィジェットには、例えば、アプリケーションの実行によって表示される情報の一部の情報を表示するなど、アプリケーションの実行によって実現される機能の一部を制限して当該機能を簡易起動させるものが含まれる。
【００４４】
記憶部１０３内のメインプログラム１０３ａを実行している制御部１００が、記憶部１０３内のアプリケーション１０３ｂを読み出して実行すると、制御部１００は、無線通信部１１０、表示パネル１２０及びレシーバ１７０等の、電子機器１内の他の構成要素を制御し、それによって、当該アプリケーション１０３ｂに対応する機能（処理）が電子機器１で実行される。例えば、電話アプリケーションを実行している制御部１００は、無線通信部１１０、マイク１６０及びレシーバ１７０を制御する。これにより、電子機器１では、無線通信部１１０で受信された受信信号に含まれる音声がレシーバ１７０から出力されるとともに、マイク１６０に入力された音声を含む送信信号が無線通信部１１０から送信され、通信相手装置との間で電話機能を用いた通話が行われる。
【００４５】
＜表示領域に対する操作の種類について＞
ユーザが表示領域２ａに対して行う操作としては、例えば、スライド操作、タップ操作、フリック操作などがある。
【００４６】
スライド操作とは、指等の接触部が表示領域２ａに接触した状態で移動する操作である。ユーザは、表示領域２ａに対してスライド操作を行うことによって、例えば、表示領域２ａの表示をスクロールさせたり、表示領域２ａに表示されているページを別のページに切り換えたりすることができる。
【００４７】
タップ操作とは、接触部が表示領域２ａに接触してからすぐに当該表示領域２ａから離れる操作である。詳細には、タップ操作とは、接触部が表示領域２ａに接触してから所定時間以内にその接触位置で当該表示領域２ａから離れる操作である。ユーザは、表示領域２ａに対してタップ操作を行うことによって、例えば、表示領域２ａに表示されている、アプリケーション１０３ｂを実行するためのアイコン（以後、「アプリアイコン」と呼ぶ）を選択して、当該アプリケーション１０３ｂの実行を行うことができる。
【００４８】
フリック操作とは、表示領域２ａを接触部で払う操作である。詳細には、フリック操作とは、接触部が表示領域２ａに接触してから離れるまでの時間が所定時間以内であって、かつ当該接触部が当該表示領域２ａに対して接触してから離れるまで所定距離以上移動する操作である。ユーザは、表示領域２ａに対してフリック操作を行うことによって、例えば、表示領域２ａの表示を当該フリック操作の方向にスクロールさせたり、表示領域２ａに表示されているページを別のページに切り替えたりすることができる。
【００４９】
＜電子機器での表示制御について＞
＜ホーム画面について＞
上述のように、電子機器１においては、ホームキー５ａが操作されると、表示領域２ａにはホーム画面が表示されるようになる。つまり、キー操作検出部１４０が、ホーム画面を表示することを指示する、ホームキー５ａに対する操作を検出すると、表示制御部１００ｂは、表示パネル１２０にホーム画面を表示させる。
【００５０】
ここで、ホーム画面は、順に切り替えられて表示されることが可能な複数のページ画面３００で構成されている。本実施の形態では、ホーム画面は、例えば５つのページ画面３００で構成されている。ホームキー５ａが操作されると、表示領域２ａには、５つのページ画面３００のいずれか一つが表示される。そして、ユーザが、電子機器１に対してホーム画面についての画面切り替え操作を行うと、それに応じて複数のページ画面３００が順に切り替えられて表示領域２ａに表示されるようになる。以後、ホーム画面を構成する５つのページ画面３００を第１〜第５ページ画面３００とそれぞれ呼ぶことがある。
【００５１】
本実施の形態では、ホームキー５ａが操作されると、ホーム画面の第１〜第５ページ画面３００のうち、第１ページ画面３００がまず表示領域２ａに表示される。表示領域２ａに第１ページ画面３００が表示されている状態で、ユーザが指等の接触部を用いて表示領域２ａに対して右方向にスライド操作あるいはフリック操作を行うと、第２ページ画面３００が表示領域２ａに表示される。また、表示領域２ａに第１ページ画面３００が表示されている状態で、ユーザが表示領域２ａに対して左方向にスライド操作あるいはフリック操作を行うと、第３ページ画面３００が表示領域２ａに表示される。
【００５２】
表示領域２ａに第２ページ画面３００が表示されている状態で、表示領域２ａに対して右方向にスライド操作あるいはフリック操作を行うと、第４ページ画面３００が表示領域２ａに表示される。また、表示領域２ａに第２ページ画面３００が表示されている状態で、ユーザが表示領域２ａに対して左方向にスライド操作あるいはフリック操作を行うと、第１ページ画面３００が表示領域２ａに表示される。
【００５３】
表示領域２ａに第３ページ画面３００が表示されている状態で、ユーザが表示領域２ａに対して右方向にスライド操作あるいはフリック操作を行うと、第１ページ画面３００が表示領域２ａに表示される。また、表示領域２ａに第３ページ画面３００が表示されている状態で、ユーザが表示領域２ａに対して左方向にスライド操作あるいはフリック操作を行うと、第５ページ画面３００が表示領域２ａに表示される。
【００５４】
このように、ユーザが、表示領域２ａに対して左方向あるいは右方向のスライド操作等を行うと、それに応じて複数のページ画面３００が順に切り替えられて表示領域２ａに表示される。ユーザは、右方向のスライド操作等を表示領域２ａに行うことによって、ページ画面３００を左にめくることができ、左方向のスライド操作等を表示領域２ａに行うことによって、ページ画面３００を右にめくることができる。
【００５５】
図５は、ホーム画面を構成する５つのページ画面３００のうちの一つのページ画面３００が表示領域２ａ（表示パネル１２０）に表示されている様子を示す図である。図５に示されるように、一つのページ画面３００は、第１領域３１０と、第２領域３２０と、第３領域４００とで構成される。
【００５６】
第１領域３１０での表示内容（表示情報）は、第１〜第５ページ画面３００で共通である。つまり、第１領域３１０は、第１〜第５ページ画面３００の間で画面が切り替えられたとしても表示内容が変化しない領域となっている。第１領域３１０には、アプリアイコン２５０だけが配置され、最大で５つのアプリアイコン２５０を配置することが可能となっている。ユーザは、頻繁に使用するアプリケーション１０３ｂを実行するためのアプリアイコン２５０を第１領域３１０に配置する。
【００５７】
第２領域３２０での表示内容は、第１〜第５ページ画面３００の間において互いに異なるようになっている。第２領域３２０には、最大で１６個のアプリアイコン２５０を配置することが可能である。また、第２領域３２０には、アプリアイコン２５０以外にも、ウィジェットの実行にともなってページ画面３００に表示されるウィジェット実行情報も配置することが可能である。
【００５８】
ここで、第２領域３２０は、行列状に並ぶ複数のブロック領域に区分されている。本実施の形態では、第２領域３２０では、行方向（左右方向）に４つのブロック領域が並び、列方向（上下方向）に４つのブロック領域が並んでいる。したがって、第２領域３２０は１６個のブロック領域に区分されている。第２領域３２０では、１つのアプリアイコン２５０は、１つのブロック領域内だけに配置することが可能となっている。これにより、第２領域３２０には、最大で１６個のアプリアイコン２５０を配置することが可能である。
【００５９】
一方で、第２領域３２０でのウィジェット実行情報の表示寸法は、ブロック領域単位で決定することができる。例えば、ウィジェット実行情報の列方向の表示寸法を１つのブロック領域分とし、当該ウィジェット実行情報の行方向の表示寸法を４つのブロック領域分とすることができる。また、ウィジェット実行情報の列方向の表示寸法を２つのブロック領域分とし、当該ウィジェット実行情報の行方向の表示寸法を２つのブロック領域分とすることができる。そして、第２領域３２０では、ウィジェット実行情報の列方向の表示寸法をＸ個（Ｘ≧１）のブロック領域分とし、その行方向の表示寸法をＹ個（Ｙ≧１）のブロック領域分とすると、当該ウィジェット実行情報は、列方向においては、列方向に並ぶＸ個のブロック領域内にしか配置できず、行方向においては、行方向に並ぶＹ個のブロック領域内にしか配置できないようになっている。
【００６０】
さらに、第２領域３２０では、複数のアプリアイコン２５０を重ねて配置することができないようになっている。また、第２領域３２０では、アプリアイコン２５０とウィジェット実行情報とを重ね配置することができないようになっている。そして、第２領域３２０では、複数のウィジェット実行情報を重ねて配置することができないようになっている。
【００６１】
以後、列方向においてＸ個のブロック領域分を有し、行方向においてＹ個のブロック領域分を有する領域の寸法を「Ｘ×Ｙ寸法」と表現することがある。
【００６２】
第３領域４００は、表示領域２ａ（表示パネル１２０）の表示画面が切り替えられたとしても表示領域２ａの表示画面に常に含まれる領域である。つまり、表示領域２ａ（表示パネル１２０）がどのような表示画面を表示したとしても常に当該表示画面に含まれる領域である。第３領域４００は、電子機器１の状態をユーザに通知するための領域であって、電子機器１の状態を示す情報が含められる。図５の例では、第３領域４００には、電子機器１で計測されている現在時刻４０１、電池残量を示すアイコン（図形）４０２、通信状態を示すアイコン（図形）４０３、新着メールが存在することを示すアイコン（図形）４０４及び不在着信があったことを示すアイコン（図形）４０５が含められている。以後、第３領域４００を「機器状態通知領域４００」と呼ぶ。
【００６３】
以上のようなホーム画面においては、ユーザがページ画面３００を切り替えると（ページ画面をめくると）、ユーザにとっては、第２領域３２０の表示内容だけが切り替わるように見える。
【００６４】
表示領域２ａに表示されるアプリアイコン２５０に対してユーザが選択操作を行うと、制御部１００の実行部１００ａは、当該アプリアイコン２５０に対応するアプリケーション１０３ｂを記憶部１０３から読み出して実行する。アプリアイコン２５０に対する選択操作としては、例えば、表示領域２ａに対するタップ操作などが考えられる。
【００６５】
＜ＰＴＴ通話時の表示画面について＞
図６は電子機器１がＰＴＴ通話を開始した直後に表示領域２ａ（表示パネル１２０）に表示されるＰＴＴ通話画面５００を示す図である。電子機器１は、ＰＴＴ通話において、一つの通話相端末あるいは複数の通話相手端末と通話を行うことができる。
【００６６】
ユーザは、ＰＴＴ通話を行う際には、表示領域２ａに表示されている、ＰＴＴアプリケーションに応じたアプリアイコン２５０に対して選択操作を行う。これにより、実行部１００ａがＰＴＴアプリケーションを実行する。そして、ユーザは、表示領域２ａを操作して、通話相手端末の番号あるいは通話相手のグループの番号を入力する。その後、ユーザがＰＰＴボタン９を押下すると、電子機器１は、一つの通話相手端末あるいは一つのグループに属する複数の通話相手端末との間でＰＴＴ通話を開始する。ＰＴＴ通話においては、ユーザはＰＰＴボタン９を押下している間、自身の音声を通話相手に送信することが可能となる。
【００６７】
なお、ユーザは、ＰＴＴアプリケーションに応じたアプリアイコン２５０を選択することなく、電話帳からもＰＴＴ通話を開始することが可能である。ユーザが表示領域２ａに対して所定の操作を行うと、記憶部１０３内の電話帳が表示領域２ａに表示されるようになる。ユーザは、表示領域２ａを操作して、電話帳内の通話相手端末の番号あるいは通話相手のグループの番号を表示領域２ａに表示させる。そして、ユーザは、通話相手端末の番号あるいは通話相手のグループの番号を選択する選択操作を表示領域２ａに対して行う。その後、ユーザがＰＴＴボタン９を押下すると、実行部１００ａがＰＴＴアプリケーションを実行する。これにより、電子機器１は、一つの通話相手端末あるいは一つのグループに属する複数の通話相手端末との間でＰＴＴ通話を開始する。
【００６８】
電子機器１がＰＴＴ通話を開始すると、図６に示されるＰＴＴ通話画面５００が表示領域２ａに表示されるようになる。ＰＴＴ通話画面５００には、現在実行されているＰＴＴ通話に関する情報が示される。
【００６９】
図６に示されるように、ＰＴＴ通話画面５００は、上述の機器状態通知領域４００と、画面種類通知領域５１０と、通話状態通知領域５２０と、設定領域５３０とで構成されている。画面種類通知領域５１０には、表示領域２ａに示される表示画面がＰＴＴ通話画面５００であることを通知する文字列５１１が含まれる。
【００７０】
通話状態通知領域５２０には、現在のＰＴＴ通話の状態をユーザに通知するための様々な情報が含められる。通話状態通知領域５２０には、例えば、電話帳に登録されている通話相手の名称５２１、電話帳において通話相手に対応付けられて登録されている画像５２２（例えば、通話相手端末の使用者の顔写真画像など）及びＰＴＴ通話時間５２３が含まれる。通話状態通知領域５２０では、電子機器１が一つの通話相手端末とＰＴＴ通話を行っている際には、通常、当該通話相手端末の使用者の名前が名称５２１として含まれ、電子機器１が一つのグループに属する複数の通話相手端末とＰＴＴ通話を行っている際には、当該グループのグループ名が名称５２１として含まれる。
【００７１】
さらに、通話状態通知領域５２０には、ＰＴＴ通話での発言権（“ｆｌｏｏｒ”と呼ばれる）の現在の状態を示す画像５２４、電話帳に登録されている、現在発言権を有する端末の名称５２５（通常は当該端末の使用者の名前）及び電話帳において現在発言権を有する端末に対応付けられて登録されている画像５２６とが含まれる。図６の例では、通話状態通知領域５２０に含まれる画像５２４は、電子機器１以外の端末が発言権を有していることを示している。電子機器１が発言権を有している場合には、画像５２４の中央の文字列が“Ｔａｌｋｉｎｇ”となり、発言権を有する端末が存在しない場合には、画像５２４の中央の文字列が“Ｏｐｅｎ”となる。
【００７２】
設定領域５３０には、ＰＴＴ通話を終了するための終了ボタン５３１、通話相手を追加するための通話相手追加ボタン５３２、ＰＴＴ通話から電話機能を用いた通話に切り替えるための切り替えボタン５３３及びＰＴＴ通話時にＢｌｕｅｔｏｏｔｈ（登録商標）を用いた通信機能を使用するか否かを設定するための設定ボタン５３４が含まれる。設定ボタン５３４には、Ｂｌｕｅｔｏｏｔｈを用いた通信機能を使用することを設定するＯＮボタン５３４ｂと、Ｂｌｕｅｔｏｏｔｈを用いた通信機能を使用しないことを設定するＯＦＦボタン５３４ａとが含まれている。ユーザは、終了ボタン５３１に対してタップ操作を行うことによって、ＰＴＴ通話を終了することができる。つまり、検出部１５０が終了ボタン５３１に対するタップ操作を検出すると、電子機器１はＰＴＴ通話を終了する。
【００７３】
＜ＰＴＴ通話画面から他の画面に切り替える際の表示制御について＞
本実施の形態に係る電子機器１では、ＰＴＴ通話中において、表示制御部１００ｂは、ＰＴＴ通話画面５００とは別の表示画面を表示パネル１２０に表示させる際には、当該別の表示画面の一部の領域に、ＰＴＴ通話画面５００に含まれる情報を含めるようになっている。つまり、電子機器１がＰＴＴ通話を行っている際に、表示領域２ａにおいて、ＰＴＴ通話画面５００とは別の表示画面が表示される際には、当該別の表示画面の一部の領域には、ＰＴＴ通話画面５００中の一部の情報が含まれる。
【００７４】
図７は、電子機器１がＰＴＴ通話を行っている際に、表示領域２ａ（表示パネル１２０）の表示がＰＴＴ通話画面５００から、ホーム画面の第１ページ画面３００に切り替わった様子を示す図である。
【００７５】
表示領域２ａにＰＴＴ通話画面５００が表示されている際に、ユーザによってホームキー５ａが操作されると、表示制御部１００ｂは、表示パネル１２０の表示を、ＰＴＴ通話画面５００からホーム画面の第１ページ画面３００に切り替える。これにより、表示領域２ａの表示がＰＴＴ通話画面５００から第１ページ画面３００に切り替えられる。
【００７６】
表示領域２ａの表示がＰＴＴ通話画面５００から第１ページ画面３００に切り替えられると、当該第１ページ画面３００の機器状態通知領域４００には、ＰＴＴ通話画面５００中の一部の情報が含まれる。例えば、第１ページ画面３００の機器状態通知領域４００には、ＰＴＴ通話画面５００に含まれている情報のうち、ＰＴＴ通話での発言権の現在の状態に関する情報が含まれるようになる。
【００７７】
本実施の形態では、表示領域２ａ（表示パネル１２０）の表示がＰＴＴ通話画面５００から第１ページ画面３００に切り替えられてから数秒間、当該第１ページ画面３００の機器状態通知領域４００では、それまで表示されていた現在時刻４０１及びアイコン４０２〜４０５が含まれなくなり、その替わりに、ＰＴＴ通話での発言権の状態を示すアイコン（図形）４１０及び文字列４２０の両方が含まれるようになる。そして、表示領域２ａの表示がＰＴＴ通話画面５００から第１ページ画面３００に切り替えられてから数秒間経過した後は、当該第１ページ画面３００の機器状態通知領域４００では、文字列４１１が消去されて、現在時刻４０１及びアイコン４０２〜４０５とともにアイコン４１０が含まれるようになる。
【００７８】
図７には、電子機器１以外の端末が発言権を有している場合において、表示領域２ａの表示がＰＴＴ通話画面５００から第１ページ画面３００に切り替えられてから数秒間経過していない際の当該第１ページ画面３００が示されている。当該第１ページ画面３００の機器状態通知領域４００には、電子機器１以外の端末が発言権を有していることを示す黒丸がアイコン４１０として含められている。また当該第１ページ画面３００の機器状態通知領域４００には、電子機器１以外の端末が発言権を有していることを示す文字列が文字列４２０として含められている。この文字列４２０には、現在発言権を有する端末の名称（図７の例では“ｙｙｙｙ  ｙｙｙｙ”）も含まれている。
【００７９】
図８には、発言権を有する端末が存在していない場合において（誰も発言権を有していない場合において）、表示領域２ａの表示がＰＴＴ通話画面５００から第１ページ画面３００に切り替えられてから数秒間経過していない際の当該第１ページ画面３００が示されている。当該第１ページ画面３００の機器状態通知領域４００には、発言権を有する端末が存在していないことを示す白丸がアイコン４１０として含められている。また当該第１ページ画面３００の機器状態通知領域４００には、発言権を有する端末が存在していないことを示す文字列が文字列４２０として含められている。
【００８０】
図９には、電子機器１が発言権を有する場合において、表示領域２ａの表示がＰＴＴ通話画面５００から第１ページ画面３００に切り替えられてから数秒間経過していない際の当該第１ページ画面３００が示されている。当該第１ページ画面３００の機器状態通知領域４００には、電子機器１が発言権を有することを示す白三角がアイコン４１０として含められている。また当該第１ページ画面３００の機器状態通知領域４００には、電子機器１が発言権を有することを示す文字列が文字列４２０として含められている。
【００８１】
図１０には、電子機器１以外の端末が発言権を有している場合において、表示領域２ａの表示がＰＴＴ通話画面５００から第１ページ画面３００に切り替えられてから数秒間経過した後の当該第１ページ画面３００が示されている。当該第１ページ画面３００の機器状態通知領域４００には、表示領域２ａの表示が当該第１ページ画面３００に切り替えられる前に表示されていた現在時刻４０１及びアイコン４０２〜４０５とともに、電子機器１以外の端末が発言権を有していることを示す黒丸がアイコン４１０として含められている。そして、当該第１ページ画面３００の機器状態通知領域４００には、文字列４１１は含まれていない。
【００８２】
機器状態通知領域４００に含まれるアイコン４１０については、ＰＴＴ通話での発言権の状態が変化すると、それに応じて変化するようになる。例えば、発言権を有する端末が存在しない状態から、電子機器１が発言権を有する状態に変化すると、機器状態通知領域４００に含まれるアイコン４１０は、白丸から白三角に変化するようになる。
【００８３】
また、機器状態通知領域４００においてアイコン４１０が示されるようになった後においては、ＰＴＴ通話が行われている限り、表示領域２ａの表示がどのような表示となったとしても、表示領域２ａが表示する表示画面の機器状態通知領域４００にはアイコン４１０が示されるようになる。
【００８４】
例えば、ＰＴＴ通話が行われている際に、ブラウザが実行されて、表示領域２ａにウェブページを含む表示画面が表示されている場合であっても、当該表示画面の機器状態通知領域４００にはアイコン４１０が示される。また、ＰＴＴ通話が行われている際に、メールアプリケーションが実行されて、表示領域２ａにメール作成のための表示画面が表示されている場合であっても、当該表示画面の機器状態通知領域４００にはアイコン４１０が示される。また、ＰＴＴ通話が行われている際に、テレビアプリケーションが実行されて、表示領域２ａにテレビ番組の映像を含む表示画面が表示されている場合であっても、当該表示画面の機器状態通知領域４００にはアイコン４１０が示される。
【００８５】
なお、機器状態通知領域４００においてアイコン４１０が示されるようになった後に、表示領域２ａにＰＴＴ通話画面５００が表示される際には、当該ＰＴＴ通話画面５００の機器状態通知領域４００にはアイコン４１０を含めなくてもよい。
【００８６】
電子機器１において、ＰＴＴ通話画面５００の終了ボタン５３１が操作されて、ＰＴＴ通話が終了すると、機器状態通知領域４００にはアイコン４１０が含まれなくなる。
【００８７】
＜機器状態のプルダウン表示について＞
本実施の形態では、表示領域２ａに示される機器状態通知領域４００に対して所定の操作が行われると、当該機器状態通知領域４００に含まれる情報に対応するように、電子機器１の状態がプルダウン表示される。検出部１５０は、機器状態通知領域４００が引き下ろされるような操作、つまり、機器状態通知領域４００を始点とした、表示領域２ａに対する下方向へのスライド操作を検出すると、表示制御部１００ｂは、電子機器１の状態を示す情報を含む通知画面６００を表示パネル１２０に表示させる。これにより、表示領域２ａには通知画面６００が表示される。図１１は、ユーザが、表示領域２ａに対して、機器状態通知領域４００を始点とした下方向へのスライド操作を指５５０で行う様子を示す図である。
【００８８】
図１２は通知画面６００の一例を示す図である。通知画面６００のうち機器状態通知領域４００を除く領域については、表示領域２ａに対する下方向へのスライド操作に応じて徐々に下方向に延びるようにして表示される（プルダウン表示）。
【００８９】
図１２に示される通知画面６００には、電子機器１が計測する現在の日付６２０が示される。また通知画面６００には、現在のＰＴＴ通話に関する通話関連情報６１０が含まれる。通話関連情報６１０には、ＰＴＴ通話画面５００に含まれる情報が含まれている。具体的には、通話関連情報６１０には、当該通話関連情報６１０がＰＴＴ通話に関する情報であることをユーザに通知するための文字列６１１と、電話帳に登録されている、通話相手の名称６２１、電話帳において通話相手に対応付けられて登録されている画像６１３及びＰＴＴ通話時間６１４が含められる。
【００９０】
なお図１２では、図示していないが、通知画面６００では、機器状態通知領域４００のアイコン４０４に対応して、新着メールが存在することを示す情報が文字列等で示される。また、通知画面６００では、機器状態通知領域４００のアイコン４０５に対応して、不在着信があったことを示す情報が文字列等によって示される。
【００９１】
＜ＰＴＴ通話画面の再表示について＞
通知画面６００に示される通話関連情報６１０がユーザによって選択されると、表示領域２ａにはＰＴＴ通話画面５００が再表示されるようになる。具体的には、検出部１５０が、通知画面６００に示される通話関連情報６１０に対する選択操作、例えばタップ操作を検出すると、表示制御部１００ｂは、表示パネル１２０の表示を、通知画面６００からＰＴＴ通話画面５００に切り替える。これにより、表示領域２ａの表示が通知画面６００からＰＴＴ通話画面５００に切り替えられて、ＰＴＴ通話画面５００が再表示される。図１３は、ユーザが、通知画面６００の通話関連情報６１０に対して、指５５０でタップ操作する様子を示す図である。
【００９２】
また、本実施の形態では、ＰＴＴ通話が行われている場合には、ＰＴＴ通話画面５００以外の表示画面が表示領域２ａに示されているときにＰＴＴボタン９が操作されると、ＰＴＴ通話画面５００が表示領域２ａに再表示されるようになっている。
【００９３】
また、ＰＴＴ通話が行われている場合において、表示領域２ａに示される、ＰＴＴアプリケーションに対応するアプリアイコン２５０に対してタップ操作が行われると、ＰＴＴ通話画面５００が表示領域２ａに再表示されるようになっている。
【００９４】
なお、ＰＴＴ通話が行われている場合において、ＰＴＴ通話画面５００とは別の表示画面が表示される際には、当該表示画面に含まれる機器状態通知領域４００に対してタップ操作が行われると、ＰＴＴ通話画面５００を再表示してもよい。
【００９５】
以上のように、本実施の形態では、電子機器１がＰＴＴ通話を行っている場合に、ＰＴＴ通話画面５００とは別の表示画面が表示される際には、当該別の表示画面の一部の領域には、当該ＰＴＴ通話画面５００中の一部の情報が含まれるようになる。したがって、ＰＴＴ通話が行われている際に、ホーム画面が表示されたり、他のアプリケーション１０３ｂが実行されて他の表示画面が表示されたりした場合であっても、ユーザはＰＴＴ通話に関する情報を確認することができる。上記の例では、ユーザは、ＰＴＴ通話が現在行われていることのみならず、ＰＴＴ通話での発言権に関する現在の状態を確認することができる。よって、ＰＴＴ通話を行っている際に、当該ＰＴＴ通話に関する情報が確認できなくなることを抑制することができる。
【００９６】
また、本実施の形態では、表示領域２ａが表示する表示画面において、ＰＴＴ通話画面５００に含まれる情報が表示される機器状態通知領域４００は、表示領域２ａ（表示パネル１２０）の表示画面が切り替わった場合でも当該表示領域２ａの表示画面に常に含まれる領域であることから、ユーザは、ＰＴＴ通話を行っている際に、当該ＰＴＴ通話に関する情報が確認できなくなることをさらに抑制することができる。
【００９７】
また、ＰＴＴ通話画面５００以外の表示画面が表示されている際に、機器状態通知領域４００では、文字列４２０については常に表示されているわけではないことから、当該機器状態通知領域４００に他の情報を含めることができる。
【００９８】
また、ＰＴＴ通話が行われている間、ＰＴＴ通話画面５００とは別の表示画面が表示される際には、機器状態通知領域４００にはアイコン（図形）４１０が示されることから、機器状態通知領域４００において、ＰＴＴ通話に関する情報が占める領域を抑えつつ、ＰＴＴ通話に関する情報が確認できなくなることを抑制することができる。
【００９９】
なお、上記の説明では、ＰＴＴ通話を例に挙げて説明したが、他の機能が実行されている場合にも、同様のことが可能である。例えば、テレビアプリケーションが実行されて、テレビ番組の録画が行われている場合には、当該録画に関する情報（例えば、録画番組名、録画番組の放送チャネル等）を含むテレビ録画画面とは別の表示画面（ホーム画面、ウェブページを含む表示画面など）が表示される際に、当該テレビ録画画面に含まれる情報を当該別の表示画面の一部の領域に含める。これにより、テレビ番組録画中に、テレビ録画画面とは別の表示画面が表示されたとしても、ユーザは、実行されている録画に関する情報を確認することができる。
【０１００】
＜実施の形態２＞
実施の形態２では、ＰＴＴ通話が実行されている場合において、ＰＴＴ通話画面５００とは別の表示画面が表示される際に、ウィジェットが実行されて、当該別の表示画面の一部に対して、ＰＴＴ通話画面５００中の少なくとも一部の情報が含められる。これにより、ＰＴＴ通話画面５００とは別の表示画面が表示される場合であっても、ユーザは、ＰＴＴ通話画面５００に含まれる情報を確認することができる。以下に、上述の実施の形態１との相違点を中心に、本実施の形態に係る電子機器１での表示制御について詳細に説明する。
【０１０１】
図１４は、ＰＴＴ通話画面５００からホーム画面の第１ページ画面３００に切り替えられた際の当該第１ページ画面３００を示す図である。表示領域２ａにＰＴＴ通話画面５００が表示されている際に、検出部１５０がホームキー５ａが操作されたことを検出すると、実行部１００ａが、ＰＴＴ通話画面５００に含まれる情報を表示するためのウィジェット（以後、「ＰＴＴウィジェット」と呼ぶ）を実行するとともに、表示制御部１００ｂが表示パネル１２０の表示をＰＴＴ通話画面５００から第１ページ画面３００に切り替える。これにより、表示領域２ａの表示がＰＴＴ通話画面５００から第１ページ画面３００に切り替えられる。ＰＴＴウィジェットは、ＰＴＴ通話が行われている間だけ実行される。
【０１０２】
表示領域２ａの表示がＰＴＴ通話画面５００から第１ページ画面３００に切り替えられると、実施の形態１と同様に、当該第１ページ画面３００の機器状態通知領域４００には、ＰＴＴ通話での発言権の現在の状態に関する情報が含まれるようになる。
【０１０３】
本実施の形態でも、同様にして、表示領域２ａの表示がＰＴＴ通話画面５００から第１ページ画面３００に切り替えられてから数秒間、当該第１ページ画面３００の機器状態通知領域４００では、それまで表示されていた現在時刻４０１及びアイコン４０２〜４０５が含まれなくなり、その替わりに、アイコン（図形）４１０及び文字列４２０の両方が含まれるようになる。そして、表示領域２ａの表示がＰＴＴ通話画面５００から第１ページ画面３００に切り替えられてから数秒間経過後、当該第１ページ画面３００の機器状態通知領域４００では、文字列４１１が消去されて、現在時刻４０１及びアイコン４０２〜４０５とともにアイコン４１０が含まれるようになる。
【０１０４】
また、本実施の形態では、ホーム画面を構成する複数のページ画面３００のいずれか一つのページ画面３００の一部において、ＰＴＴウィジェットの実行に基づくウィジェット実行情報であるＰＴＴウィジェット実行情報７００が配置される。具体的には、ページ画面３００の第２領域３２０において、ＰＴＴウィジェット実行情報７００が配置される。図１４には、第１ページ画面３００の第２領域３２０にＰＴＴウィジェット実行情報７００が配置されている様子が示されている。なお、ＰＴＴウィジェット実行情報７００は、後述するように、第１ページ画面３００以外のページ画面３００に配置されることがある。
【０１０５】
ＰＴＴウィジェット実行情報７００には、ＰＴＴ通話画面５００中の少なくとも一部の情報が含まれている。本実施の形態では、ＰＴＴウィジェット実行情報７００の表示寸法は、例えば２×４寸法となっている。図１４に示されるように、ＰＴＴウィジェット実行情報７００には、例えば、電話帳に登録されている通話相手の名称７０１と、電話帳において通話相手に対応付けられて登録されている画像７０２とが含まれている。さらに、ＰＴＴウィジェット実行情報７００には、ＰＴＴ通話での発言権の現在の状態を示すアイコン７０３と、ＰＴＴ通話での発言権の現在の状態を示す文字列７０４と、ＰＴＴ通話時間７０５とが含まれている。
【０１０６】
図１４には、電子機器１以外の端末が発言権を有している場合のＰＴＴウィジェット実行情報７００が示されている。このＰＴＴウィジェット実行情報７００には、電子機器１以外の端末が発言権を有していることを示す黒丸がアイコン７０３として含められている。また当該ＰＴＴウィジェット実行情報７００には、電子機器１以外の端末が発言権を有していることを示す文字列が文字列７０４として含められている。電子機器１以外の端末が発言権を有していることを示す文字列７０４として、例えば、現在、発言権を有する端末の名称（図１４の例では“ｙｙｙｙ  ｙｙｙｙ”）が表示領域２ａに表示される。
【０１０７】
図１５には、発言権を有する端末が存在していない場合のＰＴＴウィジェット実行情報７００が示されている。このＰＴＴウィジェット実行情報７００には、発言権を有する端末が存在していないことを示す白丸がアイコン７０３として含められている。また当該ＰＴＴウィジェット実行情報７００には、発言権を有する端末が存在していないことを示す文字列が文字列７０４として含められている。発言権を有する端末が存在していないことを示す文字列７０４として、例えば“Ｏｐｅｎ”という文字列が表示領域２ａに表示される。
【０１０８】
図１６には、電子機器１が発言権を有する場合のＰＴＴウィジェット実行情報７００が示されている。このＰＴＴウィジェット実行情報７００には、電子機器１が発言権を有することを示す白三角がアイコン７０３として含められている。また当該ＰＴＴウィジェット実行情報７００には、電子機器１が発言権を有すること示す文字列が文字列７０４として含められている。電子機器１が発言権を有すること示す文字列７０４として、例えば“Ｍｅ”という文字列が表示領域２ａに表示される。
【０１０９】
ＰＴＴウィジェット実行情報７００に含まれるアイコン７０３及び文字列７０４については、ＰＴＴ通話での発言権の状態が変化すると、それに応じて変化する。例えば、発言権を有する端末が存在しない状態から、電子機器１が発言権を有する状態に変化すると、ＰＴＴウィジェット実行情報７００に含まれるアイコン７０３が、白丸から白三角に変化する。さらに、ＰＴＴウィジェット実行情報７００に含まれる文字列７０４の表示が、“Ｏｐｅｎ”から“Ｍｅ”に変化する。
【０１１０】
また、表示領域２ａの表示が、ＰＴＴウィジェット実行情報７００を含むページ画面３００から別の表示画面に切り替えられた際には、ＰＴＴウィジェット実行情報７００は表示されなくなるものの、ＰＴＴ通話が実行されている限り、表示領域２ａの表示をＰＴＴウィジェット実行情報７００を含むページ画面３００に切り替えることができる。
【０１１１】
なお、本実施の形態においては、機器状態通知領域４００には、アイコン４１０及び文字列４２０を含めなくてもよい。
【０１１２】
電子機器１において、ＰＴＴ通話画面５００の終了ボタン５３１が操作されて、ＰＴＴ通話が終了すると、実行部１００ａはＰＴＴウィジェットの実行を終了する。これにより、ＰＴＴウィジェット実行情報７００は表示されなくなる。
【０１１３】
＜ＰＴＴ通話画面の再表示について＞
ページ画面３００に示されるＰＴＴウィジェット実行情報７００がユーザによって選択されると、表示領域２ａにはＰＴＴ通話画面５００が再表示される。具体的には、検出部１５０が、ページ画面３００に示されるＰＴＴウィジェット実行情報７００に対する選択操作、例えばタップ操作を検出すると、表示制御部１００ｂは、表示パネル１２０が表示する表示画面を、ページ画面３００からＰＴＴ通話画面５００に切り替える。これにより、表示領域２ａの表示がページ画面３００からＰＴＴ通話画面５００に切り替えられて、ＰＴＴ通話画面５００が再表示される。
【０１１４】
また、実施の形態１と同様に、本実施の形態では、ＰＴＴ通話が行われている場合には、ＰＴＴ通話画面５００以外の表示画面が表示領域２ａに示されているときにＰＴＴボタン９が操作されると、ＰＴＴ通話画面５００が表示領域２ａに再表示される。
【０１１５】
また、ＰＴＴ通話が行われている場合において、表示領域２ａに示される、ＰＴＴアプリケーションに対応するアプリアイコン２５０に対してタップ操作が行われると、ＰＴＴ通話画面５００が表示領域２ａに再表示される。
【０１１６】
なお、機器状態通知領域４００に、ＰＴＴ通話に関する情報（図形４１０及び文字列４２０）が含められる際には、実施の形態１と同様にして、機器状態通知領域４００に対してタップ操作が行われると、ＰＴＴ通話画面５００を表示してもよい。また、実施の形態１と同様に、機器状態通知領域４００に所定の操作が行われた際に表示領域２ａに通知画面６００を表示させて、当該通知画面６００に含まれる通話関連情報６１０に対して選択操作が行われると、表示領域２ａにＰＴＴ通話画面５００を表示させてもよい。
【０１１７】
＜ＰＴＴウィジェット実行情報を配置するページ画面の決定方法＞
上述のように、ホーム画面の各ページ画面３００では、複数の情報（例えば、アプリアイコン２５０とウィジェット実行情報）を互いに重ねて表示することができない。したがって、ページ画面３００に空きスペースが無ければ、そのページ画面３００にはＰＴＴウィジェット実行情報７００を配置することができない。
【０１１８】
そこで、本実施の形態に係る電子機器１では、ホームキー５ａが操作されたことを検出部１５０が検出すると、表示制御部１００ｂが、ホーム画面を構成する複数のページ画面３００において、所定の表示寸法を有するＰＴＴウィジェット実行情報７００（本例では、２×４寸法のＰＴＴウィジェット実行情報７００）を配置することが可能な空きスペースを有するページ画面３００が存在するかを判定する。つまり、表示制御部１００ｂは、ホーム画面を構成する複数のページ画面３００において、情報が配置されない、２×４寸法以上の領域を含む第２領域３２０を有するページ画面３００が存在するかを判定する。そして、表示制御部１００ｂは、当該空きスペースを有するページ画面が存在すれば、そのページ画面３００を、ＰＴＴウィジェット実行情報７００を配置する対象である配置対象ページ画面３００とする。表示制御部１００ｂは、配置対象ページ画面３００を表示パネル１２０に表示させる際には、ＰＴＴウィジェット実行情報７００を含む配置対象ページ画面３００を表示パネル１２０に表示させる。以下にこの電子機器１の動作について詳細に説明する。以下の説明では、単に「空きスペース」と言えば、ＰＴＴウィジェット実行情報７００を配置することが可能な空きスペースを意味する。
【０１１９】
図１７は、ＰＴＴ通話が開始された後に最初にホームキーａが操作されてから、ＰＴＴウィジェット実行情報７００を含むページ画面３００が表示されるまでの電子機器１の動作を示すフローチャートである。
【０１２０】
ＰＴＴ通話が開始すると、表示領域２ａにはＰＴＴ通話画面５００が表示されるようになる。そして、図１７に示されるように、ステップｓ１において、検出部１５０がホームキーａが操作されたことを検出すると、ステップｓ２において、実行部１００ａがＰＴＴウィジェットを実行する。その後、ステップｓ３において、表示制御部１００ｂは、ホーム画面を構成する複数のページ画面３００において空きスペースを有するページ画面３００が存在するかを判定する。
【０１２１】
ステップｓ３では、表示制御部１００ｂは、第１〜第５ページ画面３００の順番で、ページ画面３００に空きスペースがあるか否かを判定する。そして、表示制御部１００ｂは、第１〜第５ページ画面３００のうち、最初に空きスペースがあると判定したページ画面を配置対象ページ画面３００とする。例えば、第１及び第２ページ画面３００に空きスペースがある場合には、第１ページ画面３００が配置対象ページ画面３００とされる。また、第３及び第５ページ画面３００に空きスペースがある場合には、第３ページ画面３００が配置対象ページ画面３００とされる。
【０１２２】
ステップｓ３において、空きスペースを有するページ画面３００が存在すると判定され、配置対象ページ画面３００が決定されると、ステップｓ４において、表示制御部１００ｂは、ＰＴＴウィジェット実行情報７００を第２領域３２０に含む配置対象ページ画面３００を作成する。その後、ステップｓ５において、表示制御部１００ｂは、ＰＴＴウィジェット実行情報７００を第２領域３２０に含む配置対象ページ画面３００を表示パネル１２０に表示させる。これにより、ＰＴＴウィジェット実行情報７００を第２領域３２０に含む配置対象ページ画面３００が表示領域２ａに示される。
【０１２３】
一方で、ステップｓ３において、第１〜第５ページ画面３００に空きスペースを有するページ画面３００が存在しないと判定された場合には、ステップｓ６において、表示制御部１００ｂは、ホーム画面に新たなページ画面を追加して、この新たなページ画面を配置対象ページ画面３００とする。本例では、第６ページ画面３００がホーム画面に追加されて、第６ページ画面３００が配置対象ページ画面３００とされる。その後、ステップｓ４において、表示制御部１００ｂは、ＰＴＴウィジェット実行情報７００を第２領域３２０に含む配置対象ページ画面３００（ここでは、第６ページ画面３００）を作成する。そして、ステップｓ５において、表示制御部１００ｂは、ＰＴＴウィジェット実行情報７００を第２領域３２０に含む配置対象ページ画面３００を表示パネル１２０に表示させる。
【０１２４】
ここで、ホームキー５ａが操作された場合には、原則、上述のように第１ページ画面３００が最初に表示領域２ａに示される。しかしながら、ＰＴＴ通話画面５００が表示されている場合にホームキー５ａが操作された場合には、配置対象ページ画面３００が第１ページ画面３００であるか否かにかかわらず、例外的に、ＰＴＴウィジェット実行情報７００を第２領域３２０に含む配置対象ページ画面３００が表示領域２ａに示される。
【０１２５】
表示領域２ａにおいて、ＰＴＴウィジェット実行情報７００を含むページ画面３００が表示された後、ＰＴＴ通話画面５００が表示され、その後、ホームキー５ａが操作されると、ホーム画面を構成する複数のページ画面３００のうち、ＰＴＴウィジェット実行情報７００を含むページ画面３００が最初に表示される。
【０１２６】
なお、ホーム画面に追加した第６ページ画面３００の第２領域３２０には、ＰＴＴウィジェット実行情報７００以外の情報（アプリアイコン２５０あるいは他のウィジェット実行情報）を配置することは可能である。
【０１２７】
上記の例では、ＰＴＴウィジェットは、ＰＴＴ通話中においてホームキー５ａが操作された後に実行される。しかしながら、ＰＴＴウィジェットは、ＰＴＴ通話が開始した際に実行されてもよい。この場合には、電子機器１では、ステップｓ１においてホームキー５ａが操作されると、ステップｓ３が実行され、以後、同様の処理が行われる。
【０１２８】
このように、ホーム画面を構成する複数のページ画面３００において、空きスペースを有するページ画面３００が存在するか否かを判定することによって、ページ画面３００にＰＴＴウィジェット実行情報７００が配置できなくなることを抑制することができる。
【０１２９】
また、ホーム画面を構成する複数のページ画面３００において、空きスペースを有するページ画面３００が存在しない場合に、ホーム画面に新たなページ画面３００を追加することによって、ＰＴＴウィジェット実行情報７００が配置できなくなることをさらに抑制することができる。
【０１３０】
＜ＰＴＴ通話の終了処理＞
図１８はＰＴＴ通話が終了する際の電子機器１の動作を示すフローチャートである。図１８に示されるように、ステップｓ１１において、検出部１５０がＰＴＴ通話画面５００の終了ボタン５３１が操作されたことを検出すると、ステップｓ１２において、電子機器１はＰＴＴ通話を終了する。そして、ステップｓ１３において、実行部１００ａは、ＰＴＴウィジェットの実行を終了する。これにより、ＰＴＴウィジェット実行情報７００は表示されなくなる。
【０１３１】
その後、ステップｓ１４において、表示制御部１００ｂが、ＰＴＴウィジェット実行情報７００を表示するためにホーム画面に追加したページ画面３００（本例では第６ページ画面３００）が存在するかを判定する。ステップｓ１４において、追加したページ画面３００が存在しないと判定されると、ステップ１９において表示制御部１００ｂは、表示パネル１２０の現在の表示を維持する。一方で、ステップｓ１４において、追加したページ画面３００が存在すると判定されると、ステップｓ１５において、表示制御部１００ｂは、追加したページ画面３００にＰＴＴウィジェット実行情報７００以外の情報、例えばアプリアイコン２５０が存在するかを判定する。
【０１３２】
ステップｓ１５において、追加したページ画面３００にＰＴＴウィジェット実行情報７００以外の情報が存在すると判定されると、上述のステップｓ１９が実行される。これにより、追加したページ画面３００はホーム画面に存在したままとなる。一方で、ステップｓ１５において、追加したページ画面３００にＰＴＴウィジェット実行情報７００以外の情報が存在しないと判定されると、ステップｓ１６において、表示制御部１００ｂは、追加したページ画面３００が表示パネル１２０に現在表示されているかを判定する。
【０１３３】
ステップｓ１６において、追加したページ画面３００が表示パネル１２０に表示されていないと判定すると、ステップｓ１８において、表示制御部１００ｂは、ホーム画面から追加したページ画面３００を削除する。以後、追加したページ画面３００は表示されなくなる。一方で、ステップｓ１６において、追加したページ画面３００が表示パネル１２０に表示されていると判定すると、ステップｓ１７において、表示制御部１００ｂは、表示パネル１２０の表示を追加したページ画面３００から第１ページ画面３００に切り替える。そして、表示制御部１００ｂはステップｓ１８を実行して、ホーム画面から追加したページ画面３００を削除する。以後、追加したページ画面３００は表示されなくなる。
【０１３４】
このように、本実施の形態では、ＰＴＴ通話が終了した際には、ＰＴＴウィジェット実行情報を表示するためにホーム画面に追加したページ画面３００はホーム画面から削除されることから、ホーム画面に無駄なページ画面３００が残ることを抑制することができる。
【０１３５】
以上のように、本実施の形態に係る電子機器１では、ＰＴＴ通話が実行されている場合にはＰＴＴウィジェットが実行されて、ＰＴＴ通話画面５００とは別の表示画面が表示される際に、当該別の表示画面の一部に対して、ＰＴＴ通話画面５００に含まれる情報が含められる。これにより、ＰＴＴ通話画面５００とは別の表示画面が表示される場合であっても、ユーザは、ＰＴＴ通話画面５００に含まれる、ＰＴＴ通話に関する情報を確認することができる。よって、ユーザは、現在行われているＰＴＴ通話に関する情報が確認できなくなることを抑制することができる。
【０１３６】
さらに、本実施の形態では、ＰＴＴ通話が終了するとＰＴＴウィジェットの実行が終了することから、ＰＴＴ通話が終了した後はＰＴＴウィジェット実行情報は表示されなくなる。よって、ＰＴＴ通話が終了した後も、当該ＰＴＴ通話に関する情報が表示されることを抑制することができる。
【０１３７】
なお、表示領域２ａにおいて、ＰＴＴウィジェット実行情報７００が表示される部分に、ＰＴＴ通話画面５００での設定ボタン５３４と同様の、ＰＴＴ通話時にＢｌｕｅｔｏｏｔｈ（登録商標）を用いた通信機能を使用するか否かを設定するための設定ボタンを表示してもよい。
【０１３８】
＜各種変形例＞
＜第１変形例＞
上記の例では、表示制御部１００ｂは、第１〜第５ページ画面３００に空きスペースを有するページ画面３００が存在しない場合に、ホーム画面に新たなページ画面３００を追加していたが、第１〜第５ページ画面３００に空きスペースを有するページ画面３００が存在するか否かにかかわらず、ホーム画面に新たなページ画面３００を追加してもよい。つまり、表示制御部１００ｂは、ステップｓ２が実行された後に、ステップｓ３を実行せずに、ステップｓ５を実行してもよい。したがって、この場合には、ＰＴＴウィジェット実行情報７００は、常に、ホーム画面に追加されたページ画面３００に含まれることになる。
【０１３９】
＜第２変形例＞
上記の例では、ＰＴＴ通話画面５００が表示されている場合にホームキーａが操作された場合には、例外的に、ＰＴＴウィジェット実行情報７００を含むページ画面３００が表示されていたが、第１ページ画面３００がＰＴＴウィジェット実行情報７００を含むか否かにかかわらず、原則通り、第１ページ画面３００が表示されてもよい。
【０１４０】
＜第３変形例＞
ＰＴＴウィジェット実行情報７００を含むページ画面３００（以後、本変形例では「対象ページ画面３００」と呼ぶ）以外のページ画面３００（以後、本変形例では「非対象ページ画面３００」と呼ぶ）が表示されている際には、ホーム画面を構成する複数のページ画面３００においてＰＴＴウィジェット実行情報７００を含むページ画面３００を特定するための特定情報７５０を表示してもよい。
【０１４１】
図１９，２０は非対象ページ画面３００に含められる特定情報７５０の表示例を示す図である。図１９，２０の例では、特定情報７５０は矢印で示されている。図１９には、表示領域２ａに表示されている非対象ページ画面３００よりも左側に対象ページ画面３００が存在する場合に表示される特定情報７５０（左向き矢印）が示されている。図２０には、表示領域２ａに表示されている非対象ページ画面３００よりも右側に対象ページ画面３００が存在する場合に表示される特定情報７５０（右向き矢印）が示されている。
【０１４２】
図１９に示されるように、非対象ページ画面３００に左向き矢印の特定情報７５０が表示されている場合、ＰＴＴウィジェット実行情報７００を確認したいユーザは、表示領域２ａに対して右方向のスライド操作あるいはフリック操作を行って、表示領域２ａに示されるページ画面３００を左にめくっていく。ユーザは、対象ページ画面３００が表示領域２ａに表示されるようになると、スライド操作あるいはフリック操作を終了して、対象ページ画面３００のＰＴＴウィジェット実行情報７００を確認する。
【０１４３】
一方で、図２０に示されるように、非対象ページ画面３００に右向き矢印の特定情報７５０が表示されている場合、ＰＴＴウィジェット実行情報７００を確認したいユーザは、表示領域２ａに対して左方向のスライド操作あるいはフリック操作を行って、表示領域２ａに示されるページ画面３００を右にめくっていく。ユーザは、対象ページ画面３００が表示領域２ａに表示されるようになると、スライド操作あるいはフリック操作を終了して、対象ページ画面３００に含まれるＰＴＴウィジェット実行情報７００を確認する。
【０１４４】
なお、非対象ページ画面３００において特定情報７５０として示される矢印に対してタッチ操作が行われると、表示領域２ａに対象ページ画面３００が表示されてもよい。この場合には、対象ページ画面３００が表示されるまでスライド操作を繰り返す必要がなく、簡単な操作で対象ページ画面３００を表示させることができる。
【０１４５】
また、特定情報７５０は矢印以外のものであってもよい。例えば、特定情報７５０を、対象ページ画面３００を特定するための文字列としてもよい。具体例としては、表示領域２ａに表示されている非対象ページ画面３００よりも左のページ画面３００が対象ページ画面３００となっている場合には、当該非対象ページ画面３００に「左側」といった文字列を特定情報７５０として示す。また、表示領域２ａに表示されている非対象ページ画面３００よりも右のページ画面３００が対象ページ画面３００となっている場合には、当該非対象ページ画面３００に「右側」といった文字列を特定情報７５０として示す。
【０１４６】
また、現在表示されている非対象ページ画面３００から対象ページ画面３００を表示するまでに必要なスライド操作の回数を示す情報を特定情報７５０としてもよい。現在表示されている非対象ページ画面３００から対象ページ画面３００を表示するまでに必要なスライド操作の回数を示す情報として、当該回数と同じ個数の矢印を表示してもよい。例えば、現在表示されている非対象ページ画面３００から２つ右のページ画面３００が対象ページ画面３００である場合には、現在表示されている非対象ページ画面３００に右矢印を２つ示す。これにより、ユーザは、対象ページ画面３００がどこに存在するのか直感的に認識し易くなる。
【０１４７】
このように、表示領域２ａに表示されている非対象ページ画面３００に、ホーム画面を構成する複数のページ画面３００において対象ページ画面３００を特定するための特定情報７５０を示すことによって、ユーザは、簡単にＰＴＴウィジェット実行情報７００を確認することができる。
【０１４８】
＜第４変形例＞
ホーム画面を構成する複数のページ画面３００において空きスペースを有するページ画面３００が存在しない場合には、ホーム画面に新たなページ画面３００を追加せずに、ＰＴＴウィジェット実行情報７００の表示寸法を小さくしてもよい。
【０１４９】
上述のステップｓ３において、ホーム画面を構成する複数のページ画面３００において、２×４寸法のＰＴＴウィジェット実行情報７００を配置することが可能な空きスペースを有するページ画面３００が存在しないと判定されると、表示制御部１００ｂは、ステップｓ５を実行する替わりに、当該複数のページ画面３００において、情報が配置されない領域（以後、「情報未配置領域」と呼ぶ）が第２領域３２０に存在するページ画面３００（以後、「情報配置可能ページ画面３００」と呼ぶ）が存在するかを判定する。表示制御部１００ｂは、例えば、第１〜第５ページ画面３００の順番で、ページ画面３００の第２領域３２０に情報未配置領域があるか否かを判定する。そして、表示制御部１００ｂは、第１〜第５ページ画面３００のうち、最初に第２領域３２０に情報未配置領域があると判定した情報配置可能ページ画面３００を配置対象ページ画面３００とする。例えば、第３及び第５ページ画面３００の第２領域３２０に情報未配置領域がある場合には、第３ページ画面３００が配置対象ページ画面３００とされる。表示制御部１００ｂは、配置対象ページ画面３００を決定すると、その配置対象ページ画面３００の第２領域３２０での情報未配置領域に配置できるように、ＰＴＴウィジェット実行情報７００の表示寸法を小さくして、ＰＴＴウィジェット実行情報７００を当該情報未配置領域に配置する。例えば、配置対象ページ画面３００の第２領域３２０での情報未配置領域の寸法が１×４寸法である場合には、ＰＴＴウィジェット実行情報７００の表示寸法を２×４寸法から例えば１×４寸法に変更して、１×４寸法のＰＴＴウィジェット実行情報７００を当該情報未配置領域に配置する。また、配置対象ページ画面３００の第２領域３２０での情報未配置領域の寸法が１×１寸法である場合には、ＰＴＴウィジェット実行情報７００の表示寸法を２×４寸法から１×１寸法に変更して、１×１寸法のＰＴＴウィジェット実行情報７００を当該情報未配置領域に配置する。
【０１５０】
このように、本変形例では、ページ画面３００において、２×４寸法のＰＴＴウィジェット実行情報７００を配置することが可能な空きスペースが存在しない場合には、２×４寸法よりも小さい表示寸法のＰＴＴウィジェット実行情報７００を当該ページ画面３００に含めている。したがって、ページ画面３００にＰＴＴウィジェット実行情報７００が配置できなくなることをさらに抑制することができる。
【０１５１】
なお、表示制御部１００ｂは、以下のようにして配置対象ページ画面３００を決定してもよい。
【０１５２】
まず、表示制御部１００ｂは、第１ページ画面３００について、２×４寸法のＰＴＴウィジェット実行情報７００を配置することが可能な空きスペースが第２領域３２０に存在するかを判定する。表示制御部１００ｂは、第１ページ画面３００の第２領域３２０に当該空きスペースが存在する場合には、第１ページ画面３００を配置対象ページ画面３００とする。一方で、表示制御部１００ｂは、第１ページ画面３００の第２領域３２０に当該空きスペースが存在しない場合には、第１ページ画面３００の第２領域３２０に情報未配置領域が存在するかを判定する。そして、表示制御部１００ｂは、第１ページ画面３００の第２領域３２０に情報未配置領域が存在する場合、つまり第１ページ画面３００が情報配置可能ページ画面３００である場合には、第１ページ画面３００を配置対象ページ画面３００とする。表示制御部１００ｂは、配置対象ページ画面３００の第２領域３２０での情報未配置領域に、２×４寸法よりも表示寸法を小さくしたＰＴＴウィジェット実行情報７００を配置する。
【０１５３】
表示制御部１００ｂは、第１ページ画面３００が情報配置可能ページ画面３００でない場合には、第２ページ画面３００について、２×４寸法のＰＴＴウィジェット実行情報７００を配置することが可能な空きスペースが存在するかを判定する。表示制御部１００ｂは、第２ページ画面３００の第２領域３２０に当該空きスペースが存在する場合には、第２ページ画面３００を配置対象ページ画面３００とする。一方で、表示制御部１００ｂは、第２ページ画面３００の第２領域３２０に当該空きスペースが存在しない場合には、第２ページ画面３００の第２領域３２０に情報未配置領域が存在するかを判定する。そして、表示制御部１００ｂは、第２ページ画面３００が情報配置可能ページ画面３００である場合には、第２ページ画面３００を配置対象ページ画面３００とする。表示制御部１００ｂは、配置対象ページ画面３００の第２領域３２０での情報未配置領域に、２×４寸法よりも表示寸法を小さくしたＰＴＴウィジェット実行情報７００を配置する。
【０１５４】
表示制御部１００ｂは、第２ページ画面３００が情報配置可能ページ画面３００でない場合には、第３ページ画面３００について、２×４寸法のＰＴＴウィジェット実行情報７００を配置することが可能な空きスペースが存在するかを判定する。以後、同様にして表示制御部１００ｂは動作する。
【０１５５】
ホーム画面を構成する複数のページ画面３００において、情報配置可能ページ画面３００が存在しない場合には、ホーム画面に新たなページ画面３００を追加して、その新たなページ画面３００にＰＴＴウィジェット実行情報７００を配置してもよい。
【０１５６】
＜第５変形例＞
上記の説明では、ＰＴＴ通話を例に挙げて説明したが、他の機能が実行されている場合にも、同様のことが可能である。
【０１５７】
電子機器１においては、例えば、テレビアプリケーションが実行されて、テレビ番組の録画が開始すると、当該録画に関する情報を含むテレビ録画画面が表示される。テレビ番組の録画が行われている場合には、電子機器１は、テレビ録画画面に含まれる情報を表示するためのウィジェット（以後、「テレビウィジェット」と呼ぶ）を実行することによって、当該テレビ録画画面とは別の表示画面が表示される際に、当該テレビ録画画面に含まれる情報を当該別の表示画面の一部の領域に含める。
【０１５８】
また、電子機器１においては、音楽再生制御アプリケーションが実行されて、音楽データの再生制御が開始すると、当該再生制御に関する情報を含む音楽再生制御画面が表示される。音楽データの再生制御が行われている場合には、電子機器１は、音楽再生制御画面に含まれる情報を表示するためのウィジェット（以後、「音楽ウィジェット」と呼ぶ）を実行することによって、当該音楽再生制御画面とは別の表示画面が表示される際に、当該音楽再生制御画面に含まれる情報を当該別の表示画面の一部の領域に含める。
【０１５９】
また、電子機器１においては、アクセスポイントアプリケーションが実行されて、電子機器１が無線ＬＡＮのアクセスポイントとして機能するアクセスポイント機能の実行が開始すると、その実行に関する情報を含むアクセスポイント実行画面が表示される。アクセスポイント機能が実行されている場合には、電子機器１は、アクセスポイント実行画面に含まれる情報を表示するためのウィジェット（以後、「アクセスポイントウィジェット」と呼ぶ）を実行することによって、当該アクセスポイント実行画面とは別の表示画面が表示される際に、当該アクセスポイント実行画面に含まれる情報を当該別の表示画面の一部の領域に含める。
【０１６０】
また、電子機器１では、無線ＬＡＮアプリケーションが実行されて、電子機器１が無線ＬＡＮのアクセスポイントを通じて通信する無線ＬＡＮ機能の実行が開始すると、その実行に関する情報を含む無線ＬＡＮ実行画面が表示される。無線ＬＡＮ機能が実行されている場合には、電子機器１は、無線ＬＡＮ実行画面に含まれる情報を表示するためのウィジェット（以後、「無線ＬＡＮウィジェット」と呼ぶ）を実行することによって、当該無線ＬＡＮ実行画面とは別の表示画面が表示される際に、当該無線ＬＡＮ実行画面に含まれる情報を当該別の表示画面の一部の領域に含める。
【０１６１】
図２１は、ホーム画面のあるページ画面３００にテレビウィジェット実行情報８００が配置されている様子を示す図である。図２２は、ホーム画面のあるページ画面３００に音楽ウィジェット実行情報８１０が配置されている様子を示す図である。図２３は、ホーム画面のあるページ画面３００にアクセスポイントウィジェット実行情報８２０が配置されている様子を示す図である。図２４は、ホーム画面のあるページ画面３００に無線ＬＡＮウィジェット実行情報８３０が配置されている様子を示す図である。
【０１６２】
テレビウィジェット実行情報８００には、テレビ録画画面に含まれる情報が含まれている。具体的には、図２１に示されるように、テレビウィジェット実行情報８００には、例えば、録画番組名８０１と、録画番組のサムネイル画像８０２及び録画番組の放送チャネル８０３が含まれている。さらに、テレビウィジェット実行情報８００には、録画番組の放送時間帯８０４及び録画可能時間８０５が含まれている。
【０１６３】
音楽ウィジェット実行情報８１０には、音楽再生制御画面に含まれる情報が含まれている。具体的には、図２２に示されるように、音楽ウィジェット実行情報８１０には、例えば、再生音楽名（再生楽曲名）８１１、再生音楽のアーティスト名８１２、再生音楽のアルバム名８１３及び再生音楽のアルバムのジャケット写真画像８１４が含まれている。さらに、音楽ウィジェット実行情報８１０には、再生音楽の再生総時間８１５及び再生音楽の再生経過時間８１６が含まれている。また、表示領域２ａにおいて、音楽ウィジェット実行情報８１０が表示されている部分には、音楽再生制御ボタン８１７が示されている。アクセスポイントウィジェット実行情報８２０には、アクセスポイント実行画面に含まれる情報が含まれている。具体的には、図２３に示されるように、アクセスポイントウィジェット実行情報８２０には、例えば、電子機器１のＳＳＩＤ（Service Set Identifier）８２１、通信速度８２２、電池２１０の残りの持ち時間８２３が含まれる。さらに、アクセスポイントウィジェット実行情報８２０には、電子機器１が送信している電波の強度を示すアイコン（図形）８２４、アクセスポイントとしての電子機器１に接続されている端末の台数８２５が含まれている。
【０１６４】
無線ＬＡＮウィジェット実行情報８３０には、無線ＬＡＮ実行画面に含まれる情報が含まれている。具体的には、図２４に示されるように、無線ＬＡＮウィジェット実行情報８３０には、例えば、電子機器１が接続しているアクセスポイントのＳＳＩＤ８３１、通信速度８３２、電池２１０の残りの持ち時間８３３が含まれる。さらに、無線ＬＡＮウィジェット実行情報８３０には、電子機器１がアクセスポイントから受信している電波の強度を示すアイコン（図形）８３４が含まれている。
【０１６５】
このように、ＰＴＴ通話以外の機能が実行されている場合においても、ウィジェットを実行して、その機能の実行に関する情報を含む実行画面とは別の表示画面が表示される際に、当該実行画面に含まれる情報を当該別の表示画面の一部の領域に含めてもよい。これにより、ユーザは、ＰＴＴ通話以外の機能が実行されている際に、その機能の実行に関する情報が確認できなくなることを抑制することができる。
【０１６６】
なお、上記の例においては、本願発明を携帯電話機に適用する場合を例に挙げて説明したが、本願発明は、携帯電話機以外の電子機器にも適用することができる。
【符号の説明】
【０１６７】
１  電子機器  
２ａ  表示領域
１００ａ  実行部
１００ｂ  表示制御部
１０３ａ  メインプログラム
１２０  表示パネル
１５０  検出部
【図１】
2014035738.tif 000003
【図２】
2014035738.tif 000004
【図３】
2014035738.tif 000005
【図４】
2014035738.tif 000006
【図５】
2014035738.tif 000007
【図６】
2014035738.tif 000008
【図７】
2014035738.tif 000009
【図８】
2014035738.tif 000010
【図９】
2014035738.tif 000011
【図１０】
2014035738.tif 000012
【図１１】
2014035738.tif 000013
【図１２】
2014035738.tif 000014
【図１３】
2014035738.tif 000015
【図１４】
2014035738.tif 000016
【図１５】
2014035738.tif 000017
【図１６】
2014035738.tif 000018
【図１７】
2014035738.tif 000019
【図１８】
2014035738.tif 000020
【図１９】
2014035738.tif 000021
【図２０】
2014035738.tif 000022
【図２１】
2014035738.tif 000023
【図２２】
2014035738.tif 000024
【図２３】
2014035738.tif 000025
【図２４】
2014035738.tif 000026